(57)【特許請求の範囲】
【請求項１】
血液や体液の成分などを分析するためのセンサを使用し、測定・検査する医療機器において、
前記センサに接触し、センサと前記医療機器内の測定回路を電気的に接続するコネクタ部と、
前記コネクタ部を構成する接点端子と、
前記センサを前記医療機器の外部に排出する廃棄手段を備え、
前記廃棄手段は、前記コネクタ部を構成する接点端子による接圧を受けた状態の前記センサを前記医療機器の外部に押し出す動作と共に、前記センサと接触している前記接点端子を押し上げる動作を行なう、
ことを特徴とする医療機器。
【請求項２】
請求項１に記載の医療機器において、
前記廃棄手段を構成するスライドピンと、
前記医療機器の外部に設けられた廃棄レバーと、
前記スライドピンと前記廃棄レバーを連結する継ぎ板とを備え、
前記廃棄レバーに連動して前記スライドピンが移動し、前記センサを廃棄する、
ことを特徴とする医療機器。
【請求項３】
請求項１記載の医療機器において、
前記コネクタの一部分であり、前記センサを挟持または押さえて保持し、前記センサが挿入されたことを検出するセンサ検出部を備え、
前記センサ検出部は、金属または樹脂で形成されている、
ことを特徴とする医療機器。
【請求項４】
請求項２記載の医療機器において、
前記スライドピンの形状は、前記センサを押し出す面の上端部に傾斜面を有する傾斜部を備えた、
ことを特徴とする医療機器。
【請求項５】
請求項２に記載の医療機器において、
前記廃棄レバーは、表面が凹凸をしている、
ことを特徴とする医療機器。
【請求項６】
請求項２に記載の医療機器において、
前記廃棄レバーは、前記センサを排出する側の端部が盛り上がっている、
ことを特徴とする医療機器。
【請求項７】
請求項２に記載の医療機器において、
前記廃棄レバーは、一部または全部が透明または半透明部材で形成されている、ことを特徴とする医療機器。
【請求項８】
請求項２に記載の医療機器において、
前記スライドピンは、前記コネクタ部内を移動する、
ことを特徴とする医療機器。
【請求項９】
請求項１に記載の医療機器において、
前記廃棄手段、および前記コネクタ部は、相互に相対的な動作を行い、前記センサを、保持または廃棄する、
ことを特徴とする医療機器。
【請求項１０】
請求項９に記載の医療機器において、
前記廃棄手段が、前記コネクタ部内の一端に移動したときには、前記センサを保持し、前記廃棄手段が、前記コネクタ部内の他端に移動したときには、前記センサを廃棄する、ことを特徴とする医療機器。
【発明の詳細な説明】
【技術分野】
【０００１】
本発明は血液、体液などを分析するためのセンサを使用し、測定および検査する医療機器において、特にそのセンサを廃棄する機構に関する。
【背景技術】
【０００２】
血液、体液などを分析するためのセンサを使用し、測定および検査する従来の医療機器の多くは、使用者が医療機器にセンサを挿入し、測定および検査終了後にそのセンサの端面を指で摘まみ引き抜いて直接、廃棄箱等に廃棄していた。または、測定および検査終了後のセンサ廃棄手段に関しては、コネクタおよび医療機器に施された廃棄レバーもしくはスライドピンによりセンサを押し出して廃棄していた。
【０００３】
図８および図９に、従来の医療機器のセンサ廃棄機構図を示す。
図８のセンサ廃棄機構を備えた医療機器は、廃棄レバー１、コネクタ２、スライドピン３、センサ４、下ケース５、基板６、上ケース７から構成されている。そして下ケース５に取り付けられている廃棄レバー１の裏面のリブとコネクタ２のスライドピン３が係合されており、廃棄レバー１を廃棄方向である矢印方向にスライドさせることによりスライドピン３でセンサ４を押し出す廃棄手段になっている。  
【０００４】
また、図９の従来の医療機器については、図８と同様に下ケース５に取り付けられている廃棄レバー１の裏面の廃棄リブ１ａで、廃棄レバー１を廃棄方向である矢印方向にスライドさせることにより、コネクタ部２に挿入されたセンサ部４を押し出す廃棄手段になっている。センサ４を廃棄後、廃棄レバー１から指を離すと圧縮バネ１ｂにより、元の位置へ戻る機構になっている。
【０００５】
この出願の発明に関連する先行技術文献情報としては、例えば、特許文献１及び特許文献２が知られている。
【特許文献１】特開２００３−１１４２１３号公報
【特許文献２】特開２００５−１３４１９０号公報
【発明の開示】
【発明が解決しようとする課題】
【０００６】
しかしながら、前記従来の構成では、コネクタおよび医療機器に施された廃棄レバーもしくはスライドピンによりセンサを単に押し出して廃棄していたが、廃棄レバーをスライドさせる速さによっては、コネクタの接点端子がセンサから離れる瞬間、接点端子の撥ね返りによる反動で、センサが予期せぬ距離まで飛んだり、または予期せぬ方向に飛んだりしてセンサに付着している血液や体液が測定者やそれ以外の場所に飛散するおそれがある。その様な廃棄状態では、特に医療機関等で使用する場合、バイオハザードつまり安全性の問題が懸念される。
【０００７】
本発明は、前記従来の課題を解決するもので、その医療機器を使用する個人および医療機関において、測定および検査終了後のセンサ廃棄を安全且つ確実に行なえる技術を提供することを目的とする。
【課題を解決するための手段】
【０００８】
前記従来の課題を解決するために、本発明の請求項１にかかる医療機器は、血液や体液の成分などを分析するためのセンサを使用し、測定・検査する医療機器において、前記センサに接触し、センサと前記医療機器内の測定回路を電気的に接続するコネクタ部と、前記コネクタ部を構成する接点端子と、前記センサを前記医療機器の外部に排出する廃棄手段を備え、前記廃棄手段は、前記コネクタ部を構成する接点端子による接圧を受けた状態の前記センサを前記医療機器の外部に押し出す動作と共に、前記センサに接触している前記接点端子を押し上げる動作を行なうことを特徴とする。
【０００９】
本発明の請求項２にかかる医療機器は、請求項１に記載の医療機器において、前記廃棄手段を構成するスライドピンと、前記医療機器の外部に設けられた廃棄レバーと、前記スライドピンと前記廃棄レバーを連結する継ぎ板とを備え、前記廃棄レバーに連動して前記スライドピンが移動し、前記センサを廃棄することを特徴とする。
【００１１】
本発明の請求項３にかかる医療機器は、請求項１記載の医療機器において、前記コネクタの一部分であり、前記センサを挟持または押さえて保持し、前記センサが挿入されたことを検出するセンサ検出部を備え、前記センサ検出部は、金属または樹脂で形成されていることを特徴とする。
【００１２】
本発明の請求項４にかかる医療機器は、請求項２記載の医療機器において、前記スライドピンの形状は、前記センサを押し出す面の上端部に傾斜面を有する傾斜部を備えたことを特徴とする。
【００１３】
本発明の請求項５にかかる医療機器は、請求項２に記載の医療機器において、前記廃棄
レバーは、表面が凹凸をしていることを特徴とする。
【００１４】
本発明の請求項６にかかる医療機器は、請求項２に記載の医療機器において、前記廃棄
レバーは、前記センサを排出する側の端部が盛り上がっていることを特徴とする。
【００１５】
本発明の請求項７にかかる医療機器は、請求項２に記載の医療機器において、前記廃棄
レバーは、一部または全部が透明または半透明部材で形成されていることを特徴とする。
【００１６】
本発明の請求項８にかかる医療機器は、請求項２に記載の医療機器において、前記スライドピンは、前記コネクタ部内を移動することを特徴とする。
【００１７】
本発明の請求項９にかかる医療機器は、請求項１に記載の医療機器において、前記廃棄手段、および前記コネクタ部は、相互に相対的な動作を行い、前記センサを、保持または廃棄することを特徴とする。
【００１８】
本発明の請求項１０にかかる医療機器は、請求項９に記載の医療機器において、前記廃棄手段が、前記コネクタ部内の一端に移動したときには、前記センサを保持し、前記廃棄手段が、前記コネクタ部内の他端に移動したときには、前記センサを廃棄することを特徴とする。
【発明の効果】
【００１９】
以上のように、本発明は、血液や体液の成分などを分析するためのセンサを使用し、測定・検査する医療機器において、前記センサに接触し、センサと前記医療機器内の測定回路を電気的に接続するコネクタ部と、前記コネクタ部を構成する接点端子と、前記センサを前記医療機器の外部に排出する廃棄手段を備え、前記廃棄手段は、前記コネクタ部を構成する接点端子による接圧を受けた状態の前記センサを前記医療機器の外部に押し出す動作と共に、前記センサと接触している前記接点端子を押し上げる動作を行なう構成としたので、測定および検査終了後のセンサ廃棄において、予期せぬ距離まで飛ばすことなく、また予期せぬ方向にも飛ばすこともなくなり、センサに付着している血液や体液が測定者に飛散するバイオハザードのおそれがなくなるため安定性および安全性が飛躍的に向上する。
【発明を実施するための最良の形態】
【００２０】
以下に、本発明の医療機器の実施の形態を図面とともに詳細に説明する。
（実施の形態１）
図１は、本発明の実施の形態１における、血液・体液などを分析するためのセンサを使用し、測定および検査する医療機器の全体斜視図であり、医療機器２０を底面から見た図である。
【００２１】
本発明の医療機器２０は主となる上ケース７および下ケース５の２部品を組み合わせた機器本体を有し、下ケース５には電池を収めている電池蓋８と、センサ４を廃棄させる廃棄手段を構成する廃棄レバー１が取り付けられている。ここで、前記廃棄レバー１は、表面が凹凸の形状をしており、一部または全部が透明または半透明部材で形成されている。また、前記廃棄レバー１は、センサ４を排出する側の端部が盛り上がっている。
【００２２】
測定・検査時は、センサ４は、医療機器２０のセンサ挿入口４ａに差込み、別途穿刺装置などにより皮膚に傷を付け、滲出した皮膚の血液をセンサ４に点着する。医療機器２０は、点着された血液の成分などの測定を行ないその測定値を表示部（図示せず）に表示する。その後の廃棄時には、前記廃棄レバー１を操作することにより、センサ挿入口４ａからセンサ４を前記医療機器２０の外部に排出する。なお、コネクタ部は、このセンサ挿入口４ａの内部に設けられている。
【００２３】
次に、図２は、本発明の実施の形態１における医療機器の、廃棄手段であるセンサ廃棄機構および周辺部を示す要部透視斜視図であり、図８の従来例と同一構成要素については同一符号を付し、同様の機能に関しては説明を省略する。
【００２４】
本発明の医療機器２０のコネクタ部を構成するコネクタ２は、図８の従来のセンサ廃棄機構を備えた医療機器に納められた基板６と同じ様に半田付けされており、継ぎ板９と、コネクタ２の内部を移動可能な廃棄手段を構成するスライドピン３とが係合されている。また、継ぎ板９は下ケース５と左右２本の戻しバネ１０によって係合されている。戻しバネ１０の一方の端は左右それぞれが継ぎ板９の第１の板金フック９ａに掛けられており、また他方の端は、下ケース５の樹脂フック５ａに掛けられており、センサ４を廃棄する際に廃棄レバー１を移動させるが左右の戻しバネ１０によって初期の位置に戻される構造となっている。
【００２５】
図３は、本発明の実施の形態１の医療機器の要部拡大組立図である。
図３において、スライドピン３が継ぎ板９の第２の板金フック９ｂによって係合され、また廃棄レバー１は継ぎ板９にネジによって取り付けられている。
【００２６】
図４（ａ）、図４（ｂ）、図４（ｃ）および図４（ｄ）は、本発明の実施の形態１の医療機器のコネクタ２におけるセンサ４の一連の廃棄動作を示す断面図である。ここで、廃棄レバー１を操作することにより、スライドピン３がコネクタ２内の一端に移動したときにはセンサ４を保持し、スライドピン３がコネクタ２内の他端に移動した時にはセンサ４を廃棄する。
【００２７】
図４（ａ）において、医療機器２０のセンサ挿入口４ａにセンサ４が完全に挿入された状態を示す。スライドピン３は継ぎ板９の第２の板金フック９ｂによって初期の位置に保持される。また、その時、コネクタ２の中央にある接点端子１１、および他の接点端子（図示せず）でセンサ４を下方向に接圧を掛けている状態にある。ここで、接点端子１１は、接点１２でセンサ４に接している。
【００２８】
次に、図４（ｂ）において、スライドピン３がセンサ４を押し出す（途中の）状態を示す。継ぎ板９がスライドピン３を移動させることによりセンサ４が押し出されている。その時、センサ４は、接点端子１１および他の接点端子の下向きの接圧を受けながら押し出されている。
【００２９】
次に、図４（ｃ）において、接点端子１１がセンサ４より離れる直前の状態を示す。継ぎ板９がスライドピン３を移動させ、センサ４を廃棄する前にセンサ４を押し出している面の上端部の傾斜面に接点端子１１が乗り上げようとしている。ここで、接点端子１１の傾斜部１３がスライドピン３の傾斜部３ａに接している。
【００３０】
最後に、図４（ｄ）において、スライドピン３の傾斜部３ａが接点端子１１を上方に持ち上げて、センサを廃棄する状態を示す。接点端子１１の傾斜部１３とスライドピン３の傾斜部３ａに接しており、センサ４が廃棄される前に、スライドピン３の上端の傾斜部３ａにより接点端子１１が持ち上げられているため、センサ４と接点端子１１は完全に離間しておりコネクタの接点端子がセンサから離れる瞬間に起こる接点端子の撥ね返りによる反動がない。よってセンサ４を自由落下させる様に確実に廃棄できる。
【００３１】
ここで、実施の形態１では、接点端子１１がスライドピン３の傾斜部３ａにより持ち上げられる場合について説明したが、複数の接点端子のうち、一部又は全ての接点端子が持ち上げられるようにしてもよい。
【００３２】
このように本実施の形態によれば、センサ４に接触し、センサ４と医療機器２０内の測定回路を電気的に接続するコネクタ２と、前記コネクタ２を構成する接点端子１１と、前記センサ４を前記医療機器２の外部に排出するスライドピン３を備え、前記スライドピン３は、前記センサ４を前記医療機器２０の外部に押し出す動作と共に、前記センサ４に接触している前記接点端子１１を押し上げる動作を行なうようにしたので、コネクタの接点端子がセンサから離れる瞬間に起こる接点端子の撥ね返りによる反動をなくし、センサ４を自由落下させる様に確実に廃棄できるという効果がある。
【００３３】
（実施の形態２）
図５（ａ）及び（ｂ）は、本発明の実施の形態２における医療機器の、接点端子の配置を示す平面図である。
【００３４】
図５（ａ）は、本医療機器２０におけるコネクタ２の接点端子１１ａ〜１１ｄの配置を示す。なお、図５（ａ）及び図５（ｂ）では３ないし４個の接点端子を有する場合を図示しているが、接点端子１１は、１または２以上の端子数を有するものであれば良い。ここで、図５（ａ）及び（ｂ）の矢印はセンサ４の排出方向を示す。
【００３５】
本発明の実施の形態２においても、前述の実施の形態１と同様に、排出動作時にセンサ４が廃棄される前に、スライドピン３によって、各接点端子が持ち上げられるため、センサ４と接点端子１１が完全に離間する（図４（ｃ）及び図４（ｄ）参照）。
【００３６】
このため、各接点端子がセンサから離れる瞬間に起こる接点端子の撥ね返りによる反動を防止することが出来る。よってセンサ４を自由落下させるように確実に廃棄できる。
【００３７】
それに加えて、本実施の形態２においては、図５（ａ）及び図５（ｂ）に示すように、接点端子の配置などに関しても考慮している。
【００３８】
図５（ａ）において、センサ４の中心線１５（図５（ａ）においてセンサ４を縦断する中央の一点鎖線に当たる）に対して、接点端子１１ａと１１ｄ、また、接点端子１１ｂと１１ｃは共に対称の位置にあり、センサ４を廃棄する際、センサ４が左右方向にばらばらに飛び出すことを規制し、排出方向（図５（ａ）において、向かって下方向）に沿って廃棄するように抑制している。
【００３９】
図５（ｂ）は、図５（ａ）とは別の例を示し、接点端子１１の数が３つの場合を示している。図５（ｂ）の場合も、センサ４の中心線１５に対して、対称な位置に接点端子１１ｅと１１ｇを配置することにより、図５（ａ）の場合と同様に、センサ４が左右方向にばらばらに飛び出すことを規制し、排出方向に沿って廃棄するように抑制できる。
【００４０】
また、図５（ａ）に示すように、コネクタ２の有する複数の接点端子１１ａ〜１１ｄは、センサ４の中心線１５に対する垂直方向における各接点端子１１ａ〜１１ｄ間の距離がそれぞれ等しくなるよう配置し、図５（ｂ）に示すように、接点端子１１ｅ〜１１ｇは、センサ４の中心線１５に対する垂直方向における各接点端子１１ｅ〜１１ｇ間の距離がそれぞれ等しくなるよう配置している。
【００４１】
また、図５（ａ）に示すように、接点端子１１ａ、１１ｂの接点１２ａ、１２ｂ間の距離は接点端子１１ｃ、１１ｄの接点１２ｃ、１２ｄ間の距離と等しく、図５（ｂ）に示すように、接点端子１１ｅ、１１ｆの接点１２ｅ、１２ｆ間の距離は、接点端子１１ｆ、１１ｇとの接点１２ｆ、１２ｇ間の距離と等しくなるようにする。ここで、さらに複数の接点端子を備えるようにした場合においても、センサ４の中心線に対して、対称な位置に配置された接点端子の接点間の距離は、それぞれほぼ等しくなるようにする。
【００４２】
また、図５（ａ）では、前記複数の接点端子１１ａ〜１１ｄの各接点１２ａ〜１２ｄのうち、中央の２個の接点端子１１ｂ、１１ｃの接点１２ｂ、１２ｃの位置が、それ以外の接点端子１１ａ、１１ｄの接点１２ａ、１２ｄの位置より、センサ４の平面に平行な方向において外方に突出する場合を示しているが、前記複数の接点端子１１ａ〜１１ｄの各接点１２ａ〜１２ｄのうち、中央の２個の接点端子１１ｂ、１１ｃ以外の接点端子１１ａ、１１ｄの接点１２ａ、１２ｄの位置が、中央の２個の接点端子１１ｂ、１１ｃの接点１２ｂ、１２ｃの位置より、センサ４の平面に平行な方向において外方に突出するようにしてもよい。
【００４３】
また、図５（ｂ）では、前記複数の接点端子１１ｅ〜１１ｇの各接点１２ｅ〜１２ｇのうち、中央の１個の接点端子１１ｆの接点１２ｆの位置が、それ以外の接点端子１１ｅ、１１ｇの接点１２ｅ、１２ｇの位置より、センサ４の平面に平行な方向において外方に突出している場合を示しているが、前記複数の接点端子１１ｅ〜１１ｇの各接点１２ｅ〜１２ｇのうち、中央の１個の接点端子１１ｆ以外の接点端子１１ｅ、１１ｇの接点１２ｅ、１２ｇの位置が、中央の１個の接点端子１１ｆの接点１２ｆの位置より、センサ４の平面に平行な方向において外方に突出するようにしてもよい。
【００４４】
また、図５では、３ないし４個の接点端子を備える場合について説明したが、さらに複数の接点端子を有するようにしてもよい。このとき、前記複数の接点端子は、その並びの一端から偶数番目の接点端子の接点の位置が、奇数番目の接点端子の接点の位置より、センサの平面に平行な方向において外方に突出するようにしてもよく、また、その並びの一端から奇数番目の接点端子の接点の位置が、偶数番目の接点端子の接点の位置より、センサの平面に平行な方向において外方に突出するようにしてもよい。
【００４５】
このように本実施の形態によれば、接点端子１１ａ〜１１ｄが、前記センサの長手方向に沿った中心線１５に対し対称の位置に配置されるようにし、前記センサ４の中心線に対して対称な位置に配置された接点端子１１ａ、１１ｂの接点１２ａと１２ｂ間の距離と、接点端子１１ｃ、１１ｄの接点１２ｃと１２ｄ間の距離は等しくなるようにしたので、センサ４が左右方向にばらばらに飛び出すことを規制し、排出方向に沿って廃棄するように抑制できるという効果がある。
【００４６】
（実施の形態３）
図６（ａ）及び図６（ｂ）は、本発明の実施の形態３における医療機器の、接点端子の配置を示す平面図である。
【００４７】
図６（ａ）は、本医療機器２０におけるコネクタ２の接点端子１１ａ〜１１ｄの配置を示す。なお、図６（ａ）及び図６（ｂ）では３ないし４個の接点端子を有する場合を図示しているが、接点端子１１は、１または２以上の端子数を有するものであれば良い。ここで、図６（ａ）及び図６（ｂ）の矢印はセンサ４の排出方向を示す。
【００４８】
本発明の実施の形態３においても、前述の実施の形態１と同様に、排出動作時にセンサ４が廃棄される前に、スライドピン３によって、各接点端子が持ち上げられるため、センサ４と接点端子１１が完全に離間する（図４（ｃ）及び図４（ｄ）参照）。
【００４９】
このため、各接点端子がセンサから離れる瞬間に起こる接点端子の撥ね返りによる反動を防止することが出来る。よってセンサ４を自由落下させるように確実に廃棄できる。
【００５０】
それに加えて、本実施の形態３においては、図６（ａ）及び図６（ｂ）に示すように、接点端子の配置などに関しても考慮している。
【００５１】
図６（ａ）において、センサ４の中心線１５（図６（ａ）においてセンサ４を縦断する中央の一点鎖線に当たる）に対して、接点端子１１ａ、１１ｂと、接点端子１１ｃ、１１ｄは共に対称の位置にある。一方、図６（ａ）に示すように、接点端子１１ａ、１１ｂの接点１２ａ、１２ｂ間の距離と、接点端子１１ｃ、１１ｄの接点１２ｃ、１２ｄ間の距離は異なっているため、センサ４を廃棄する際、接点端子１１とセンサの接点が離れるタイミングが異なり、センサ４をスムーズに自由落下させ、廃棄することができる。
【００５２】
図６（ｂ）は、図６（ａ）とは別の例を示し、接点端子１１の数が３つの場合を示している。図６（ｂ）の場合も図６（ａ）と同様、センサ４の中心線１５に対して、対称な位置に接点端子１１ｅと１１ｇを配置している。一方、接点端子１１ｅ、１１ｆの接点１２ｅ、１２ｆ間の距離は、接点端子１１ｆ、１１ｇとの接点１２ｆ、１２ｇ間の距離と異なっているため、図６（ａ）の場合と同様に、センサ４を廃棄する際、接点端子１１とセンサの接点が離れるタイミングが異なり、センサ４をスムーズに自由落下させ、廃棄することができる。
【００５３】
図６（ａ）および図６（ｂ）は、上述実施の形態２の図５（ａ）及び図５（ｂ）の場合とは異なり、接点端子の接点がセンサ４の中心線１５に対して非対称な配置であっても、廃棄前の早い段階でセンサ４から接点端子１１を全て持ち上げ、接圧の掛からない様にすれば、コネクタの左右側面に沿って押し出されるようになり、センサが予期せぬ距離まで飛んだり、予期せぬ方向に飛んだりすることはない。例えば、図４（ｄ）に示す接点端子１１の傾斜部１３の角度を水平方向に対してより緩やかにすることにより、接点端子１１の傾斜部１３がスライドピン３の傾斜部３ａとより早い段階で接するようにして、接点端子１１を持ち上げるようにすることができる。
【００５４】
このように本実施の形態によれば、接点端子１１ａ〜１１ｄが、前記センサの長手方向に沿った中心線１５に対し対称の位置に配置されるようにし、接点端子１１ｅ、１１ｆの接点１２ｅ、１２ｆ間の距離と、接点端子１１ｆ、１１ｇの接点１２ｆ、１２ｇ間の距離が異なるようにしたので、センサ４を廃棄する際、接点端子１１とセンサの接点が離れるタイミングが異なり、センサ４をスムーズに自由落下させ、廃棄することができるという効果がある。
【００５５】
（実施の形態４）
図７は、本発明の実施の形態４における医療機器の、接点端子の配置を示す平面図である。
【００５６】
図７において、センサ４の中心線１５に対して、対称な位置に接点端子１１ｅと１１ｇを配置しており、接点端子１１ｅ〜１１ｇは、センサ４の中心線１５に対する垂直方向における各接点端子１１ｅ〜１１ｇ間の距離がそれぞれ等しくなるよう配置している。ここで、図７の矢印はセンサ４の排出方向を示す。
【００５７】
このように、接点端子１１の数に関係なく、センサ４の中心線１５に対して、対称な位置に接点端子１１ｅと１１ｇを配置することにより、センサ４が左右方向にばらばらに飛び出すことを規制し、排出方向に沿って廃棄するように抑制できる。
【００５８】
また、本実施の形態４は、センサ４と測定回路を電気的に接続するコネクタ２の内部にある接点端子１１ｅ〜１１ｇの他に、センサ４を横方向から押して保持するセンサ検出部１４を備えている。センサ検出部１４は、前記接点端子１１ｅ〜１１ｇ以外の、前記センサ４を挟持または押さえて保持しているコネクタ２の一部分であり、金属または樹脂で形成されている。
【００５９】
前記スライドピン３が、センサ４をコネクタ２の外部に押し出すと同時にセンサ４を接点端子１１ｅ〜１１ｇおよびセンサ検出部１４から開放させ、センサ４が予期せぬ距離まで飛んだり、予期せぬ方向に飛んだりしない様にする。
【００６０】
なお、本実施の形態４では、接点端子が図５（ｂ）と同様の配置の場合について説明したが、接点端子が、図５（ａ）や図６（ａ），（ｂ）に示した配置の場合であってもよい。また、接点端子は３ないし４個の場合に限らず、さらに複数の端子を備えるようにしてもよい。
【００６１】
このように本実施の形態によれば、コネクタ２の一部分であり、センサ４を挟持または押さえて保持し、センサが挿入されたことを検出するセンサ検出部１４を備えるようにしたので、センサ４を廃棄する際、センサ４が予期せぬ距離まで飛んだり、予期せぬ方向に飛んだりしないようにすることができるという効果がある。
【産業上の利用可能性】
【００６２】
以上のように、本発明にかかる医療機器は、測定および検査終了後のセンサ廃棄を予期せぬ距離まで飛ばすことなく、また予期せぬ方向にも飛ばすこともなくなり、センサに付着している血液や体液が測定者に飛散するバイオハザードのおそれがなくなるため安定性および安全性が飛躍的に向上する。
【図面の簡単な説明】
【００６３】
【図１】本発明の実施の形態１における医療機器の全体斜視図
【図２】本発明の実施の形態１における医療機器のセンサ廃棄機構および周辺部を示す要部透視斜視図
【図３】本発明の実施の形態１における医療機器のセンサ廃棄機構および周辺部を示す要部拡大組立図
【図４（ａ）】本発明の実施の形態１における医療機器のセンサ廃棄動作のセンサ完全挿入の状態を示す断面図
【図４（ｂ）】本発明の実施の形態１における医療機器のセンサ廃棄動作のセンサをスライドピンが押し出す状態を示す断面図
【図４（ｃ）】本発明の実施の形態１における医療機器のセンサ廃棄動作のセンサと端子が離れる直前の状態を示す断面図
【図４（ｄ）】本発明の実施の形態１における医療機器のセンサ廃棄動作のスライドピンが端子を持ち上げセンサを排出する状態を示す断面図
【図５】本発明の実施の形態２における医療機器の、接点端子の配置を示す平面図（ａ）、及び接点端子の別の配置を示す平面図（ｂ）
【図６】本発明の実施の形態３における医療機器の、接点端子の配置を示す平面図（ａ）、及び接点端子の別の配置を示す平面図（ｂ）
【図７】本発明の実施の形態４における医療機器の、接点端子の配置を示す平面図である。
【図８】従来のセンサ廃棄機構を備えた医療機器の断面図
【図９】従来のセンサ廃棄機構を備えた他の例の医療機器の断面図
【符号の説明】
【００６４】
２０  医療機器
１    廃棄レバー
１ａ  廃棄リブ
１ｂ  圧縮バネ
２    コネクタ
３    スライドピン
３ａ  傾斜部
４    センサ
４ａ  センサ挿入口
５    下ケース
５ａ  樹脂フック
６    基板
７    上ケース
８    電池蓋
９    継ぎ板
９ａ  第１の板金フック
９ｂ  第２の板金フック
１０  戻しバネ
１１  接点端子
１２  接点
１３  接点端子の傾斜部
１４  センサ検出部
１５  センサの中心線
【図１】
0005206027.tif 000002
【図２】
0005206027.tif 000003
【図３】
0005206027.tif 000004
【図４（ａ）】
0005206027.tif 000005
【図４（ｂ）】
0005206027.tif 000006
【図４（ｃ）】
0005206027.tif 000007
【図４（ｄ）】
0005206027.tif 000008
【図５】
0005206027.tif 000009
【図６】
0005206027.tif 000010
【図７】
0005206027.tif 000011
【図８】
0005206027.tif 000012
【図９】
0005206027.tif 000013